(57)【要約】【課題】情報媒体の再生、記録特性のより向上できる情報記録再生装置を提供する。【解決手段】情報媒体を駆動して、情報の記録または再生の少なくとも一方を行う情報記録再生装置１０は、情報媒体を駆動する駆動ユニット１２と、駆動ユニット１２を収納する筐体１４と、駆動ユニット１２を載置台２２上で支持する複数の脚体１６であって、筐体１４の底板１４ａを貫通して駆動ユニット１２に取り付けられる複数の脚体１６と、を有する。【選択図】図２
2005259293.tif 000002
【特許請求の範囲】
【請求項１】
情報媒体を駆動して、情報の記録または再生の少なくとも一方を行う情報記録再生装置であって、
情報媒体を駆動する駆動ユニットと、
駆動ユニットを収納する筐体と、
駆動ユニットを載置台上で支持する複数の脚体であって、筐体の底板を貫通して駆動ユニットに取り付けられる複数の脚体と、
を有することを特徴とする情報記録再生装置。
【請求項２】
請求項１に記載の情報記録再生装置であって、
脚体は、載置台に対して点で接続する点状支持部を有することを特徴とする情報記録再生装置。
【請求項３】
請求項１または２に記載の情報記録再生装置であって、
筐体底面と載置台との間に立脚する壁部材を有することを特徴とする情報記録再生装置。
【発明の詳細な説明】
【技術分野】
【０００１】
本発明は、情報媒体を駆動して、情報の記録または再生の少なくとも一方を行う情報記録再生装置に関する。
【背景技術】
【０００２】
従来から、情報媒体を駆動して情報の記録または再生を行う情報記録再生装置が広く知られている。例えば、光ディスク再生装置は、情報媒体である光ディスクを回転駆動させ、この光ディスクに形成されたピットに光ピックアップのレーザー光を照射して、ピットを読み取る。光ディスクに形成されるピットは微小であるため、この光ピックアップは、非常に高い精度が必要とされる。光ピックアップが僅かでも揺れ動くとピットの読取誤差、いわゆるビットロスを生じ、音響再生特性の劣化を生じることとなる。
【０００３】
光ピックアップが揺れ動く原因の一つに、情報媒体の駆動時に生じる振動が挙げられる。情報記録再生装置は、通常、情報媒体を駆動する駆動ユニットと、これを収納する筐体とを有している。そして、筐体の四隅に取り付けられた脚体を介して載置台に載置される。駆動ユニットは、情報媒体を非常に高速で駆動させるため、その駆動運動そのものによって振動が生じる。また、載置台から、脚体や筐体を介して外部振動が伝達される場合もある。このような駆動ユニットに生じる振動は光ピックアップの揺れの原因となり、ひいては、音響再生特性を劣化させる。
【０００４】
そこで、従来から、駆動ユニットに生じる振動を低減させるための技術が多数提案されている。たとえば、特許文献１には、筐体を支持する脚体の先端を円錐スパイク状に形成した音響機器が開示されている。これは、円錐スパイクの頂点のみで載置台に接触するようにしたものである。ただし、円錐スパイクによる載置台の損傷を防止するため、通常、載置台と円錐スパイクとの間に板材を介在させる。この円錐スパイクの脚体によれば、載置台とは点状接触であるため載置台に生じた外部振動が音響機器に伝達されにくく、駆動ユニットの振動を低減できる。
【０００５】
【特許文献１】特開２００３−２６３８７４号公報
【発明の開示】
【発明が解決しようとする課題】
【０００６】
しかしながら、特許文献１に記載の円錐スパイク状の脚体では、外部振動が原因の振動は低減できるものの、情報媒体の駆動そのものによって生じる振動を低減することができなかった。また、脚体は筐体の四隅に取り付けられ、駆動ユニットは筐体の中央部に配置される。したがって、駆動ユニットが配置される中央部は、脚体から最も離れた部位であり、最もたわみが生じやすく、駆動ユニットに筐体底板のたわみによる振動が生じやすかった。そのため、情報の再生、記録特性の低下を招いていた。
【０００７】
そこで、本発明では、駆動ユニットの振動を低減し、再生、記録特性を向上できる情報記録再生装置を提供することを目的とする。
【課題を解決するための手段】
【０００８】
本発明の情報記録再生装置は、情報媒体を駆動して、情報の記録または再生の少なくとも一方を行う情報記録再生装置であって、載置台に載置されて使用される情報記録再生装置において、情報の記録または再生のために情報媒体を駆動させる駆動ユニットと、駆動ユニットを収納する筐体と、駆動ユニットを載置台上で支持する複数の脚体であって、筐体の底板を貫通して駆動ユニットに取り付けられる複数の脚体と、を有することを特徴とする。
【０００９】
好適な態様では、脚体は、載置台に対して点接触する点状支持部を有する。別の好適な態様では、脚体は、載置台から伝達された外部振動を吸収する振動吸収部材を有する。別の好適な態様では、脚体を隠すための壁部材であって、筐体底面と載置台との間に立脚する壁部材を有する。
【００１０】
ここで、情報媒体としては、ＣＤやＤＶＤなどの光ディスクの他、ＶＴＲなどのような磁気情報媒体も含む。
【発明の効果】
【００１１】
本発明によれば、駆動ユニットに脚体を取り付けているため、筐体を直接脚体で支持している。そのため、筐体の重量を駆動ユニットの負荷とすることができ、駆動ユニット全体の慣性を向上させることができる。そのため、情報媒体の駆動による振動を低減することができ、ひいては、再生、記録特性を向上できる。
【発明を実施するための最良の形態】
【００１２】
以下、本発明の実施の形態について図面を参照して説明する。なお、以下の説明では、一例として光ディスクを回転駆動して音響を再生する音響再生装置を挙げているが、適宜、部品などを替えることで他の情報記録再生装置にも適用できる。
【００１３】
図１は、本発明の実施の形態である音響再生装置１０の正面図である。また、図２に音響再生装置１０の縦断面図、図３にその一部拡大図を示す。
【００１４】
この音響再生装置１０は、通常、オーディオラックなどの載置台２２に載置されて使用される。音響再生装置１０は、光ディスク等の情報媒体を回転駆動して情報を読み取る駆動ユニット１２と、これを収納する筐体１４、および、これらを支持する脚体１６とを有している。筐体１４は、無垢材料などで形成された箱状部材であり、脚体１６によって駆動ユニット１２に取り付けられている。
【００１５】
駆動ユニット１２は、光ディスク等の情報媒体を回転駆動するとともに、これにレーザー光を照射して、光ディスク等に形成されたピットを読み取るものである。駆動ユニットは本体部２０とこれを支持するフレーム１８とを備えている。フレーム１８は、アルミなどの金属材料から形成されている。
【００１６】
駆動ユニット１２は、光ディスク等を回転駆動する駆動源であるスピンドルモータ１９や光ディスク等にレーザー光を照射して光ディスク等から情報を読み取る光ピックアップ２１などを備えている。光ディスクの回転駆動時には、駆動ユニット１２にスピンドルモータ１９から発生する振動や、光ディスク等の回転運動そのものから生じる振動などが発生する。この振動は、ピットの読み取りに悪影響を与え、ひいては音響特性を劣化させる原因となる。そこで、本実施の形態では、脚体１６を所定の位置に配置することで、駆動ユニット１２に生じる振動の低減を図っている。
【００１７】
駆動ユニット１２は、前後に２つずつ、計４つ設けられた脚体１６で支持されている。脚体１６は、載置台２２に載置される基部２４と、駆動ユニットに取り付けられる主部２６とに大別される。
【００１８】
脚体１６の主部２６は、固定部材２７および円柱部材２８から構成されている。固定部材２７は、金属などの無垢材料からなり、小径ネジ部２７ａと、小径ネジ部２７ａより大径の大径ネジ部２７ｂと、後述する基部２４の台座部２４ａを介して載置台２２に点接触する点状支持部２７ｃと、を備えている。
【００１９】
円柱部材２８は、その中央部に固定部材２７の大径ネジ部２７ｂに螺合されるネジ孔２８ａが形成されており、円周部には遊嵌用ネジ２９を取り付けるための遊嵌用ネジ孔２８ｂが形成されている。この遊嵌用ネジ孔２８ｂに遊嵌用ネジ２９が螺合されると、遊嵌用ネジ２９の頭部２９ａが後述する基部２４の鍔部２４ｂの下側に延出した状態となる。これにより遊嵌用ネジの頭部２９ａが基部２４の抜けを防止する状態となり、主部２６に対し基部２４が遊嵌状態で一体化される。
【００２０】
このように構成された主部２６の固定部材２７は小径ネジ部２７ａが筐体１４の底板１４ａを貫通して駆動ユニット１２のフレーム１８に螺合されて固定される。また、主部２６の円柱部材２８は、その中央部に形成されたネジ孔２８ａが固定部材２７の大径ネジ部２７ｂに螺合されて固定される。
【００２１】
したがって、脚体１６の主部２６は、筐体１４の底板１４ａを挟み込んだ状態で、駆動ユニット１２のフレーム１８に取り付けられる。言い換えれば、筐体１４は、脚体１６付きの駆動ユニット１２に下垂した状態となる。
【００２２】
ここで、上述したように駆動ユニット１２には光ディスクの回転運動そのものによって振動が生じる。このような駆動ユニット１２の振動はピットの読み取り精度の低下を招き、ひいては再生特性の低下を招く。
【００２３】
しかし、本実施のように、脚体１６を駆動ユニット１２に取り付け、直接脚体１６で駆動ユニット１２を支持することにより駆動ユニット１２に生じる振動が低下できる。すなわち、筐体１４は、脚体１６付きの筐体１４に付随した状態となるため、筐体１４の重量は、駆動ユニット１２の負荷として働く。これにより駆動ユニット１２全体の慣性が向上することとなり、振動に対して剛健となる。また、従来は、駆動ユニット１２に振動を生じさせる力は筐体１４を介して脚体１６に伝達され、押さえ込まれている。しかし、駆動ユニット１２と筐体１４、筐体１４と脚体１６との組み付け誤差等により、振動を生じさせる力は確実に脚体１６に伝達されず、振動発生の原因となっていた。しかし、脚体１６を駆動ユニット１２に取り付けることで、振動発生原因の力は直接脚体１６に伝達され押さえ込まれる。そのため、駆動ユニット１２そのものに生じる振動を低減することができ、ひいては、再生特性を向上させることができる。
【００２４】
また、従来、駆動ユニット１２は筐体１４のほぼ中央に配置され、脚体１６は筐体１４の四隅に取り付けられていた。そのため、駆動ユニット１２が配置される筐体１４の中央は、その底板１４ａが最もたわみやすく、振動が発生しやすい部位となっていた。しかし、本実施の形態では、脚体１６を駆動ユニット１２の下方に取り付けているため、駆動ユニット１２が配置されている位置は、たわみが生じにくくなる。そして、たわみによる振動を防止でき、再生特性をより向上させることができる。
【００２５】
基部２４は、主部２６とは別部材として形成された略円盤形状の部材である。これは、載置台２２に載置されるもので、その中央には点状支持部２７ｃを受ける台座部２４ａが形成されている。台座部２４ａは、円盤形状の基部２４本体より突出した台で、その中央には点状支持部２７ｃを受ける円錐形状の凹部が形成されている。また、台座部２４ａの円周には、遊嵌用ネジ２９の頭部２９ａにかかる鍔部２４ｂが形成されている。
【００２６】
主部２６の点状支持部２７ｃを基部２４の台座部２４ａに配すると、図３から分かるように、基部２４上面と円柱部材２８底面との間には間隙が形成される。したがって、主部２６は、点状支持部２７ｃの頂点で載置台２２と接続していると言える。このように点で接続することにより、載置台２２に生じた外部振動が筐体１４や駆動ユニット１２に伝達されにくく、ひいては、光ディスクの再生特性の低下を防止できる。
【００２７】
以上、説明したように、本実施の形態によれば、駆動ユニットに生じる振動を低減できるため、再生特性を向上することができる。なお、本実施の形態では、脚体１６に円錐形状の点状支持部２７ｃを設け、駆動ユニット１２を点で支持する構造としたが、必ずしも、点で支持しなくてもよい。通常の、底面フラットな脚体を用いてもよい。また、脚体に載置台で生じた外部振動を吸収する振動吸収部材、例えば、スプリングなどの弾性部材を設けて、外部振動の伝達を防止してもよい。
【００２８】
また、より視覚的な安定性を高めるために、図４や図５に示すように筐体１４底面と載置台２２との間に脚体１６を隠すための壁部材４２を設けてもよい。図４（Ａ）は、その側壁が壁部材４２となる偽脚４０の斜視図、図４（Ｂ）はこの偽脚４０を取り付けた状態の音響再生装置１０の底面図である。この偽脚４０は、脚体１６を隠すために脚体１６に取り付けられるもので、略楕円状の盆状部材である。この偽脚４０は、その一隅に脚体１６を収納したときに、他隅が筐体１４の隅に位置する寸法となっている。また、偽脚４０の側壁４２は、載置台２２と筐体１４底面との間隙より僅かに低い高さとなっている。したがって、この偽脚４０に脚体１６を収納すれば、脚体１６そのものは殆ど見えないようになる。代わりに、筐体１４の中央付近から隅側に延びる偽脚４０の側壁４２が見えるようになる。そのため、音響再生装置１０を正面や側面から見た場合、脚体（偽脚）が筐体１４の中央から隅側まであるように見え、視覚的に安定したものとなる。もちろん、脚体１６そのものの形状を筐体１４隅部まで延接し、上述の偽脚４０と脚体１６とを一体にしたような脚体を用いてもよい。
【００２９】
また、図５に示すように、筐体１４の底面から下方に延びる壁部材４２、いわゆる袴部を設けてもよい。このような袴部４２を設けることにより脚体１６を隠すことができ、音響再生装置１０を正面や側面から見た場合に視覚的に安定感を与えることができる。
【図面の簡単な説明】
【００３０】
【図１】本発明の実施の形態である音響再生装置を載置台に載置した状態の正面図である。
【図２】音響再生装置の縦断面図である。
【図３】図２の一部拡大図である。
【図４】（Ａ）は偽脚の斜視図であり、（Ｂ）は偽脚を取り付けた音響再生装置の底面図である。
【図５】袴部を設けた音響再生装置の正面図である。
【符号の説明】
【００３１】
１０  音響再生装置、１２  駆動ユニット、１４  筐体、１６  脚体、１８  フレーム、１９  スピンドルモータ、２０  駆動ユニット本体部、２１  光ピックアップ、２２  載置台、２４  主部、２４ａ  台座部、２４  基部、２６  主部、２６ｂ  点状支持部、２８  雌ネジ、４０  偽脚、４２  壁部材（偽脚側壁、袴部）。
【図１】
2005259293.tif 000003
【図２】
2005259293.tif 000004
【図３】
2005259293.tif 000005
【図４】
2005259293.tif 000006
【図５】
2005259293.tif 000007